(57)【要約】      （修正有）【課題】波のエネルギーを利用して発電する波力発電タービンの効率を向上させる。【解決手段】波力発電タービンは、円筒風洞内に配置され、円筒風洞と同心軸線上に回転自在に支持された回転軸と、回転軸に固着され、半径方向に向かって延在する複数のタービンブレード１０を有するロータハブとを備え、タービンブレードは、回転方向７に対して前方に突出する突出部９を有し、突出部の先端は、タービンブレードの全長Ｌに対して、根元から長さ０．５Ｌ以上の箇所に形成される。【選択図】図２
2015203395.tif 000002
【特許請求の範囲】
【請求項１】
円筒風洞内に配置され、前記円筒風洞と同心軸線上に回転自在に支持された回転軸と、前記回転軸に固着され、半径方向に向かって延在する複数のタービンブレードを有するロータハブとを備え、
前記タービンブレードは、回転方向に対して前方に突出する突出部を有し、
前記突出部の先端は、前記タービンブレードの全長Ｌに対して、根元から長さ０．５Ｌ以上の箇所に形成されていることを特徴とする波力発電タービン。
【発明の詳細な説明】
【技術分野】
【０００１】
本発明は、波浪エネルギーを利用して発電を行う波力発電装置、特に振動水柱形波力発電装置に利用されるタービンに関するものである。
【背景技術】
【０００２】
振動水柱形波力発電装置は、下部が海面に開放され、上部が大気への空気通路を有する外部密閉室からなる空気室と、空気通路内に設けられたタービンと、タービンの回転により発電を行う発電機とから構成される。海面の上下運動により空気室内外の圧力差が生じると、その圧力差によって空気通路内に空気流が発生し、この空気流を利用してタービンを回し、発電が行われるようになっている。
【０００３】
この発電装置は、可動部が波浪エネルギーを直接受けないため、構造上強度の問題が少ないという特徴があり、メインテナンス上も有利であることから、離島などの電力供給源として有望視されている。
【０００４】
従来から、振動水柱形発電装置のタービンとしては、主にウェルズタービンが用いられてきた（特許文献１）。
【０００５】
ウェルズタービンは、零揚力面が回転軸に対して垂直となるように取付けられた複数の対称翼型のタービンブレードを有するロータハブを備え、空気流の流れ方向にかかわらず同一方向に回転するように構成されたタービンである。ウェルズタービンは、往復流に対して一方向に駆動力を発生するため、構造が簡単であるという特徴を有する。
【０００６】
その一方で、ウェルズタービンは、駆動力が揚力に比べて小さく出力トルクが小さいため、起動時間がかかる。また、迎え角の大きい範囲では失速域が存在する。すなわち、海面の上下運動エネルギーから変換された空気流の流量が増加した場合、タービンブレードが失速して、タービントルクの大幅な降下が発生するため、タービン効率が低下するという問題がある。
【０００７】
上記ウェルズタービンの有する課題を解決するために、従来からさまざまな改善策が講じられてきた。
【０００８】
例えば、特許文献２には、タービンブレード２１の上流側および下流側に、タービンブレードから隔てられた案内羽根２２，２３が組み込まれたタービンが開示されている（図７参照）。特許文献２に記載されたタービンでは、案内羽根２２，２３が、タービンブレード流を減少させあるいは消失させるように傾斜させて配設されているため、タービンブレードの失速を低減することができる。しかしながら、特許文献２に開示されたタービンでは、構造が複雑になり、しかも案内羽根２２，２３の形状の最適化など設計上の問題もある。
【０００９】
また、特許文献３には、出力軸３２に２個のロータハブ３３を互いに平行に離間するように固着し、このロータハブ３３の周囲に複数のタービンブレード３１をロータハブ３３の軸線方向に交差する方向で同軸に二列に整列するように配設されており、二列の対称翼型タービンブレード３１を互いに後縁が向かい合うように取付け角度γで対称に配設した対称翼型複葉式ウェルズタービンが開示されている（図８参照）。特許文献３に記載されたタービンでは、タービンブレード３１を互いに後縁が向かい合うように取付けられているため、起動特性および平均効率を向上させることが可能である。しかしながら、特許文献３に記載されたタービンにおいても、構造が複雑になるとともに、取付け角度γの最適化など設計上の問題がある。
【００１０】
さらに、特許文献４には、回転翼４３をその取付け軸周りに同時に回転可能に設け、気体の流速および回転翼４３の回転数に応じて、複数の回転翼４３の軸周りの回動角度を制御する波力発電タービンが開示されている（図９参照）。特許文献４に記載されたタービンによれば、脈動する気体の流速に応じて、タービンの翼を適正な角度に制御できるので、高いタービン効率で運転できる範囲が拡大され、発電効率の向上を図ることができる。しかしながら、特許文献４に記載されたタービンにおいても、気体の往復流を検知する手段や、回転翼４３の回転数を検知する手段が必要となり、構造がさらに複雑になる。しかも、回転翼４３を回動させるための動力源などが必要となり、発電した電力を消費してしまうため、装置全体としての発電効率が低下するという問題もある。
【００１１】
以上の通り、従来の波力発電タービンでは、いずれも構造が複雑になる。特に、離島で設置される波力発電装置では、メンテナンスフリーであることが要求され、構造の複雑化によって故障頻度が高くなることは、極力避けなければならない。
【先行技術文献】
【特許文献】
【００１２】
【特許文献１】特開昭５３−９２０６０号公報
【特許文献２】特開昭５４−５９５３８号公報
【特許文献３】特公平６−８９６４５号公報
【特許文献４】特開平９−２８７５４６号公報
【発明の概要】
【発明が解決しようとする課題】
【００１３】
本発明は、波力発電装置に利用される波力発電タービンにおいて、構造が簡単であるという長所を活かしつつ、タービンブレードの失速を低減して、タービン効率を向上させることを目的とするものである。
【課題を解決するための手段】
【００１４】
上記課題を解決するために、本発明は、円筒風洞内に配置され、円筒風洞と同心軸線上に回転自在に支持された回転軸と、回転軸に固着され、半径方向に向かって延在する複数のタービンブレードを有するロータハブとを備え、タービンブレードは、回転方向に対して前方に突出する突出部を有し、突出部の先端は、タービンブレードの全長Ｌに対して、タービンブレードとロータが接する箇所（以下、「根元」という。）から長さ０．５Ｌ以上の箇所に形成されていることを特徴とする。
【発明の効果】
【００１５】
本発明による波力発電タービンは、タービンブレードが、回転方向に対して前方に突出する突出部を有するので、タービンブレード４の下流側において、タービンブレードの根元に近い領域で発生する渦流と、先端に近い領域で発生する渦流とが、互いに逆方向に渦を巻くように流れる。この２つの渦流により、タービンブレードの前方を通過した空気流が、タービンブレードの下流側表面に近い領域で流れるようになって、空気流の剥離を防止することができる。したがって、タービンブレードの失速が低減され、タービン効率を向上させることができる。
【図面の簡単な説明】
【００１６】
【図１】波力発電タービンの斜視図である。
【図２】本発明の一実施例に係る波力発電タービンの形状を示す平面図である。
【図３】図２の波力発電タービンにおけるタービンブレードの形状と空気流の流れを示す斜視図である。
【図４】従来の波力発電タービンの形状を示す平面図である。
【図５】従来の波力発電タービンのタービンブレードおよび空気流の流れを示す斜視図である。
【図６】従来の波力発電タービンの構成および空気流の流れを示す斜視図である。
【図７】従来技術による固定子羽根を備えた波力発電タービンの構成を示す概略図である。
【図８】従来技術によるタービンブレードを傾けた複葉式タービンの構成を示す概略図である。
【図９】従来技術による回転翼を回動可能とした波力発電タービンの構成を示す概略図である。
【発明を実施するための形態】
【００１７】
本発明の実施の形態を図面に基づいて説明する。図１は、波力発電タービンの構成を示す斜視図、図２は、本発明の一実施例に係る波力発電タービンの形状を示す平面図、図３は、図２の波力発電タービンにおけるタービンブレードの形状と空気流の流れを示す斜視図、図４は、従来の波力発電タービンの形状を示す平面図、図５は、従来の波力発電タービンのタービンブレードおよび空気流の流れを示す斜視図、図６は、従来の波力発電タービンの構成および空気流の流れを示す斜視図である。
【００１８】
図１において、１は、空気室（図示せず）と外気との間で空気が出入りするための円筒風洞（空気通路）、２は、ロータハブ、３は、円筒風洞１内に回転自在に支持されるとともにロータハブ２に固着された回転軸、４は、ロータハブ３から半径方向に延在する対象翼型のタービンブレード、５は、回転軸３に連結され発電機であり、６は、円筒風洞１内に発生する空気流（往復流）、７は、波力発電タービンの回転方向を示している。
【００１９】
海面の上下運動により、空気室（図示せず）の内外で圧力差が生じると、その圧力差によって、円筒風洞１内に空気流６が発生する。空気流６により、タービンブレード４が回転方向７の方向に回転し、さらにロータハブ２、回転軸３が回転することにより、発電機５にて発電が行われるようになっている。
【００２０】
本発明者らは、タービンブレードが失速するメカニズムを解明するために、従来の波力発電タービンにおける空気流の流れ場について解析を行った。その結果を図５、図６に基づいて説明する。
【００２１】
図４は、従来の波力発電タービンの形状を示しており、図５は、従来の波力発電タービンにおけるタービンブレードまわり空気流の流れを、図６は、従来の波力発電タービンまわりの空気流の流れを、それぞれ解析した結果を示している。
【００２２】
図５、図６から明らかなように、タービンブレード４の前方を通過した空気流は、タービンブレード４の下流側表面から剥離していることがわかる。特に、タービンブレード４の根元に近い領域で、空気流の剥離量が大きくなっている。また、流入する空気流量が大きくなった場合には、空気流の剥離がさらに大きくなり、迎角が大きくなることも確認できた。
【００２３】
この解析結果から、上記空気流の剥離が、タービンブレードの前縁失速を助長していることがわかる。
【実施例】
【００２４】
本発明は、タービンブレードの下流側表面において、空気流の剥離を防止することによって、タービン効率を向上させるものである。以下、本発明に係る波力発電タービンの一実施例について図２、図３を参照しつつ説明する。
【００２５】
図２に示すように、本発明による波力発電タービンでは、タービンブレード４が、回転方向７に対して前方に向かって延びる突出部９を有している。この突出部９は、従来のタービンブレード１０の前縁に対して、根元から突出部９の先端にわたって、漸次傾斜して形成される。また、突出部９の先端からタービンブレード４の半径方向先端にわたって、後方に漸次傾斜して形成されている。突出部９の先端（タービンブレード４の前縁の先端）は、タービンブレード４の半径方向長さＬに対して、０．５Ｌの位置に形成されている。
【００２６】
図２の波力発電タービンでは、図３に示すように、タービンブレード４の下流側では、根元から長さ０．５Ｌ以下の領域で発生する渦流と、根元から長さ０．５Ｌ以上の領域で発生する渦流とが、互いに逆方向に渦を巻くように流れることがわかる。すなわち、前方を通過した空気流は、タービンブレードの下流側で、剥離することなく流れるようになっている。
【００２７】
本実施例では、突出部９の先端が、タービンブレード４の半径方向長さＬに対して、０．５Ｌの位置に形成されているが、突出部９の先端は、０．５Ｌ以上の位置であればよい。
【産業上の利用可能性】
【００２８】
本発明は、波力発電装置に用いられる波力発電タービンに利用することができる。
【符号の説明】
【００２９】
１    円筒風洞
２    ロータハブ
３    回転軸
４    対称翼型タービンブレード
５    発電機
６    空気流（往復流）
７    回転方向
８    同一半径断面
９    突出部
１０  タービンブレード（従来例）
１１  縦渦による二次流れ
１２  タービンブレード断面
１３  ブレード前縁失速
【図１】
2015203395.tif 000003
【図２】
2015203395.tif 000004
【図３】
2015203395.tif 000005
【図４】
2015203395.tif 000006
【図５】
2015203395.tif 000007
【図６】
2015203395.tif 000008
【図７】
2015203395.tif 000009
【図８】
2015203395.tif 000010
【図９】
2015203395.tif 000011